(57)【特許請求の範囲】
【請求項１】
移動通信網を構成する無線基地局であって、
無線ＬＡＮに無線端末が滞在していた滞在時間を計測するコントローラを備え、
前記滞在時間は、前記無線端末が前記移動通信網から前記無線ＬＡＮへ待ち受け先又は接続先を切り替える第１処理を行ってから、前記無線端末が前記無線ＬＡＮから前記移動通信網へ待ち受け先又は接続先を切り替える第２処理を行うまでの時間であり、
前記コントローラは、前記滞在時間及び前記無線端末が前記第２処理を行う理由に基づいて、パラメータを変更するか否かを決定し、
前記パラメータは、前記無線端末が前記移動通信網から前記無線ＬＡＮに対して待ち受け先又は接続先を切り替えるか否かを判定することに用いるパラメータであることを特徴とする無線基地局。
【請求項２】
前記コントローラは、前記無線端末が前記第２処理を行う理由に関する所定情報を取得し、前記所定情報に基づいて、前記第２処理がユーザの意思で行われるものであると判断した場合、前記パラメータを変更せずに維持することを特徴とする請求項１に記載の無線基地局。
【請求項３】
前記第１処理は、前記無線端末が自己の無線基地局から前記無線ＬＡＮへ待ち受け先又は接続先を切り替える処理であり、
前記第２処理は、前記無線端末が前記無線ＬＡＮから自己の無線基地局へ待ち受け先又は接続先を切り替える処理であることを特徴とする請求項１に記載の無線基地局。
【請求項４】
前記第１処理は、前記無線端末が自己の無線基地局から前記無線ＬＡＮへ待ち受け先又は接続先を切り替える処理であり、
前記第２処理は、前記無線端末が前記無線ＬＡＮから自己の無線基地局とは異なる他の無線基地局へ待ち受け先又は接続先を切り替える処理であることを特徴とする請求項１に記載の無線基地局。
【請求項５】
前記コントローラは、前記無線端末が前記第２処理を実行したことを示す情報を前記他の無線基地局から受信することによって、前記無線端末が前記第２処理を行ったことを検出することを特徴とする請求項４に記載の無線基地局。
【請求項６】
前記コントローラは、前記無線端末が前記第２処理を実行したことを示す情報を前記無線ＬＡＮを構成するエンティティから受信することによって、前記無線端末が前記第２処理を行ったことを検出することを特徴とする請求項４に記載の無線基地局。
【請求項７】
無線ＬＡＮに接続されていた無線端末又は前記無線ＬＡＮを構成するエンティティから、前記無線ＬＡＮに前記無線端末が滞在していた滞在時間の計測結果に基づくメッセージを受信するレシーバと、
コントローラと、を備え、
前記滞在時間は、前記無線端末が前記移動通信網から前記無線ＬＡＮに対して待ち受け先又は接続先を切り替える第１処理を行ってから、前記無線端末が前記無線ＬＡＮから前記移動通信網に対して待ち受け先又は接続先を切り替える第２処理を行うまでの時間であり、
前記コントローラは、前記滞在時間及び前記無線端末が前記第２処理を行う理由に基づいて、パラメータを変更するか否かを判断し、
前記パラメータは、前記無線端末が前記移動通信網から前記無線ＬＡＮに対して待ち受け先又は接続先を切り替えるか否かを判定することに用いるパラメータであることを特徴とする無線基地局。
【請求項８】
前記コントローラは、前記無線端末が前記第２処理を行う理由に関する所定情報を取得し、前記所定情報に基づいて、前記第２処理がユーザの意思で行われるものであると判断した場合、前記パラメータを変更せずに維持することを特徴とする請求項７に記載の無線基地局。
【請求項９】
前記メッセージは、前記無線端末が前記第１処理を行ってから前記第２処理を行うまでの時間が一定期間内であることを示すメッセージであることを特徴とする請求項７に記載の無線基地局。
【請求項１０】
前記メッセージは、前記滞在時間を示すメッセージであることを特徴とする請求項７に記載の無線基地局。
【請求項１１】
前記メッセージは、前記無線端末が前記第１処理を行ってから前記第２処理を行ったこと及び所定の現象が発生したことを示す通知であることを特徴とする請求項７に記載の無線基地局。
【発明の詳細な説明】
【技術分野】
【０００１】
本出願は、移動通信網のカバレッジエリアと無線ＬＡＮのカバレッジエリアとの間で待ち受け先又は接続先を切り替える切替処理を行うシステムで用いる無線基地局及び無線端末に関する。
【背景技術】
【０００２】
従来、ＬＴＥ（Ｌｏｎｇ  Ｔｅｒｍ  Ｅｖｏｌｕｔｉｏｎ）に代表される移動通信網のカバレッジエリアと無線ＬＡＮのカバレッジエリアの少なくとも一部が重複している場合に、移動通信網と無線ＬＡＮとの間で待ち受け先又は接続先を切り替える切替処理（ネットワークセレクション及びトラフィックステアリング）が提案されている。具体的には、切替処理は、移動通信網側の第１情報が第１条件を満たすか否か及び無線ＬＡＮ側の第２情報が第２条件を満たすか否かに基づいて行われる。【０００３】
ここで、移動通信網側の第１情報は、例えば、受信信号の信号レベル（ＲＳＲＰ；Ｒｅｆｅｒｅｎｃｅ  Ｓｉｇｎａｌ  Ｒｅｃｅｉｖｅｄ  Ｐｏｗｅｒ）の測定結果（ＲＳＲＰｍｅａｓ）及び受信信号の信号品質（ＲＳＲＱ；Ｒｅｆｅｒｅｎｃｅ  Ｓｉｇｎａｌ  Ｒｅｃｅｉｖｅｄ  Ｑｕａｌｉｔｙ）の測定結果（ＲＳＲＱｍｅａｓ）である。無線ＬＡＮ側の第２情報は、例えば、無線ＬＡＮのチャネル利用値、無線ＬＡＮのバックホール値、受信信号の信号強度（ＲＳＳＩ；Ｒｅｃｅｉｖｅｄ  Ｓｉｇｎａｌ  Ｓｔｒｅｎｇｔｈ  Ｉｎｄｉｃａｔｏｒ）である。【０００４】
ところで、移動通信網と無線ＬＡＮとの間で待ち受け先又は接続先を切り替える切替処理を行うか否かを判定するための判定パラメータは、移動通信網に設けられる無線基地局から無線端末に対して通知される。判定パラメータとしては、無線端末に対して個別に通知される個別パラメータ及び無線端末に対して報知される報知パラメータが存在する。
【先行技術文献】
【非特許文献】
【０００５】
【非特許文献１】ＴＳ３６．３０４Ｖ１２．１．０
【発明の概要】
【０００６】
実施形態に係る基地局は、移動通信網を構成する。前記無線基地局は、前記無線ＬＡＮに無線端末が滞在していた滞在時間を計測するコントローラを備える。前記滞在時間は、前記無線端末が前記移動通信網から前記無線ＬＡＮへ待ち受け先又は接続先を切り替える第１処理を行ってから、前記無線端末が前記無線ＬＡＮから前記移動通信網へ待ち受け先又は接続先を切り替える第２処理を行うまでの時間である。
【図面の簡単な説明】
【０００７】
【図１】図１は、実施形態に係る通信システム１を示す図である。
【図２】図２は、実施形態に係る無線端末１０を示すブロック図である。
【図３】図３は、実施形態に係る無線基地局１００を示すブロック図である。
【図４】図４は、実施形態に係る動作（Ａ−１）を説明するためのシーケンス図である。
【図５】図５は、実施形態に係る動作（Ａ−２）を説明するためのシーケンス図である。
【図６】図６は、実施形態に係る動作（Ｂ−１）を説明するためのシーケンス図である。
【図７】図７は、実施形態に係る動作（Ｂ−２）を説明するためのシーケンス図である。
【図８】図８は、実施形態に係る動作（Ｃ−１）を説明するためのシーケンス図である。
【図９】図９は、実施形態に係る動作（Ｃ−２）を説明するためのシーケンス図である。
【図１０】図１０は、実施形態に係る動作（Ｃ−３）を説明するためのシーケンス図である。
【発明を実施するための形態】
【０００８】
［実施形態の概要］
従来の技術では、無線端末が移動通信網から無線ＬＡＮに待ち受け先又は接続先を切り替える切替処理（オフロード処理）及び同一の無線端末が無線ＬＡＮから移動通信網に待ち受け先又は接続先を切り替える切替処理（リオフロード処理）を繰り返す現象（以下、ピンポン現象）が懸念される。
【０００９】
このようなピンポン現象を抑制する観点では、無線基地局が判定パラメータを最適化することが好ましい。しかしながら、現在の仕組みでは、判定パラメータを最適化するための情報が不十分であり、判定パラメータを適切に最適化することができない。
【００１０】
そこで、本出願は、上述した課題を解決するためになされたものであり、判定パラメータを最適化するための情報を無線基地局が取得することを可能とする無線基地局及び無線端末を提供することを目的とする。
【００１１】
実施形態に係る無線基地局は、移動通信網を構成する。前記無線基地局は、前記無線ＬＡＮに無線端末が滞在していた滞在時間を計測するコントローラを備える。前記滞在時間は、前記無線端末が前記移動通信網から前記無線ＬＡＮへ待ち受け先又は接続先を切り替える第１処理を行ってから、前記無線端末が前記無線ＬＡＮから前記移動通信網へ待ち受け先又は接続先を切り替える第２処理を行うまでの時間である。
【００１２】
実施形態において、前記第１処理は、前記無線端末が自己の無線基地局から前記無線ＬＡＮへ待ち受け先又は接続先を切り替える処理である。前記第２処理は、前記無線端末が前記無線ＬＡＮから自己の無線基地局へ待ち受け先又は接続先を切り替える処理である。
【００１３】
実施形態において、前記第１処理は、前記無線端末が自己の無線基地局から前記無線ＬＡへ待ち受け先又は接続先を切り替える処理である。前記第２処理は、前記無線端末が前記無線ＬＡＮから自己の無線基地局とは異なる他の無線基地局へ待ち受け先又は接続先を切り替える処理である。
【００１４】
実施形態において、前記コントローラは、前記無線端末が前記第２処理を実行したことを示す情報を前記他の無線基地局から受信することによって、前記無線端末が前記第２処理を行ったことを検出する。
【００１５】
実施形態において、前記コントローラは、前記無線端末が前記第２処理を実行したことを示す情報を前記無線ＬＡＮを構成するエンティティから受信することによって、前記無線端末が前記第２処理を行ったことを検出する。
【００１６】
実施形態において、前記コントローラは、前記滞在時間に基づいて、パラメータを決定する。前記パラメータは、前記無線端末が前記移動通信網から前記無線ＬＡＮに対して待ち受け先又は接続先を切り替えるか否かを判定することに用いるパラメータである。
【００１７】
実施形態に係る無線端末は、無線ＬＡＮに滞在していた滞在時間を計測するコントローラと、移動通信網を構成する無線基地局に対して、前記滞在時間の計測結果に基づくメッセージを送信するトランスミッタとを備える。前記滞在時間は、前記移動通信網から前記無線ＬＡＮへ待ち受け先又は接続先を切り替える第１処理を行ってから、前記無線ＬＡＮから前記移動通信網へ待ち受け先又は接続先を切り替える第２処理を行うまでの時間である。
【００１８】
実施形態において、前記メッセージは、前記第１処理を行ってから前記第２処理を行うまでの時間が所定時間内であることを示すメッセージである。
【００１９】
実施形態において、前記メッセージは、前記滞在時間の値を示すメッセージである。
【００２０】
実施形態において、前記メッセージは、前記無線端末が前記第１処理を行ってから前記第２処理を行ったこと及び所定の現象が発生したことを示す通知である。
【００２１】
実施形態に係る無線基地局は、無線ＬＡＮに接続されていた無線端末又は前記無線ＬＡＮを構成するエンティティから、前記無線ＬＡＮに前記無線端末が滞在していた滞在時間の計測結果に基づくメッセージを受信するレシーバを備える。前記滞在時間は、前記無線端末が前記移動通信網から前記無線ＬＡＮに対して待ち受け先又は接続先を切り替える第１処理を行ってから、前記無線端末が前記無線ＬＡＮから前記移動通信網に対して待ち受け先又は接続先を切り替える第２処理を行うまでの時間である。
【００２２】
実施形態において、前記メッセージは、前記無線端末が前記第１処理を行ってから前記第２処理を行うまでの時間が一定期間内であることを示すメッセージである。
【００２３】
実施形態において、前記メッセージは、前記滞在時間を示すメッセージである。
【００２４】
実施形態において、前記メッセージは、前記無線端末が前記第１処理を行ってから前記第２処理を行ったこと及び所定の現象が発生したことを示す通知である。
【００２５】
実施形態に係る無線基地局は、移動通信網を構成する無線基地局である。前記無線基地局は、無線端末が前記移動通信網から無線ＬＡＮへ待ち受け先又は接続先を切り替えてから前記無線ＬＡＮから前記移動通信網へ待ち受け先又は接続先を切り替えたこと及び所定の現象が発生したことを検出した場合に、前記無線端末が前記移動通信網と前記無線ＬＡＮとの間で待ち受け先又は接続先を切り替えるか否かを判定することに使用するパラメータを決定するコントローラを備える。
【００２６】
実施形態に係る無線基地局は、前記無線ＬＡＮを構成するエンティティ又は前記無線端末から前記所定の現象が発生したことを示す通知を受信するレシーバをさらに備える。前記コントローラは、前記レシーバが前記所定の現象が発生したことを示す通知を受信することで、前記所定の現象が発生したことを検出する。
【００２７】
実施形態において、前記所定の現象は、所定条件を満たす現象である。前記所定条件は、前記無線端末が前記移動通信網から前記無線ＬＡＮへ待ち受け先又は接続先を切り替えてから前記無線ＬＡＮから前記移動通信網へ待ち受け先又は接続先を切り替えるまでに経過した時間が所定時間内である。
【００２８】
［第１実施形態］
（通信システム）
以下において、第１実施形態に係る通信システムについて説明する。図１は、第１実施形態に係る通信システム１を示す図である。
【００２９】
図１に示すように、通信システム１は、無線基地局１００と、アクセスポイント２００とを有する。また、通信システム１は、無線基地局１００又はアクセスポイント２００と接続可能な無線端末１０を備える。
【００３０】
無線端末１０は、携帯電話又はタブレットなどの端末である。無線端末１０は、無線基地局１００と無線通信を行う機能に加えて、アクセスポイント２００と無線通信を行う機能を有する。
【００３１】
無線基地局１００は、第１カバレッジエリア１００Ａを有しており、第１カバレッジエリア１００Ａにおいて、ＬＴＥ（Ｌｏｎｇ  Ｔｅｒｍ  Ｅｖｏｌｕｔｉｏｎ）に代表される移動通サービスを提供する。ＬＴＥでは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、無線基地局１００を含む。無線基地局１００は、ネットワーク装置である。無線基地局１００は、１つ又は複数のセルを管理しており、第１カバレッジエリア１００Ａは、１つ又は複数のセルによって構成される。無線基地局１００は、移動通信網のエンティティである。なお、セルとは、地理的なエリアを示す用語と考えてもよく、無線端末１０と無線通信を行う機能と考えてもよい。
【００３２】
アクセスポイント２００は、第２カバレッジエリア２００Ａを有しており、第２カバレッジエリア２００Ａにおいて、無線ＬＡＮサービスを提供する。アクセスポイント２００は、無線ＬＡＮのエンティティである。第２カバレッジエリア２００Ａの少なくとも一部は、第１カバレッジエリア１００Ａと重複する。第２カバレッジエリア２００Ａの全部が第１カバレッジエリア１００Ａと重複していてもよい。一般的には、第２カバレッジエリア２００Ａは、第１カバレッジエリア１００Ａよりも小さい。
【００３３】
（適用シーン）
第１実施形態において、無線端末が移動通信網と無線ＬＡＮとの間で待ち受け先又は接続先を切り替える切替処理（例えば、ネットワークセレクション及びトラフィックステアリング）を行う方法について説明する。ＲＲＣコネクティッド状態又はＲＲＣアイドル状態の無線端末１０は、移動通信網（セルラ通信ネットワーク）及び無線ＬＡＮ（ＷＬＡＮ通信ネットワーク）のうちトラフィックを送受信するネットワークを選択するために切り替える処理を行う。具体的には、移動通信網側の第１情報が第１条件を満たしており、かつ、無線ＬＡＮ側の第２情報が第２条件を満たしている状態が所定期間に亘って継続する場合に、切替処理（例えば、ネットワークセレクション及びトラフィックステアリング）が実行される。
【００３４】
第１実施形態において、切替処理は、無線端末が、移動通信網から無線ＬＡＮに対して待ち受け先又は接続先を切り替える処理、及び、無線ＬＡＮから移動通信網に対して待ち受け先又は接続先を切り替える処理の双方を含む。
【００３５】
ここで、移動通信網側の第１情報は、例えば、受信信号の信号レベル（ＲＳＲＰ；Ｒｅｆｅｒｅｎｃｅ  Ｓｉｇｎａｌ  Ｒｅｃｅｉｖｅｄ  Ｐｏｗｅｒ）の測定結果（ＲＳＲＰｍｅａｓ）及び受信信号の信号品質（ＲＳＲＱ；Ｒｅｆｅｒｅｎｃｅ  Ｓｉｇｎａｌ  Ｒｅｃｅｉｖｅｄ  Ｑｕａｌｉｔｙ）の測定結果（ＲＳＲＱｍｅａｓ）である。
【００３６】
無線ＬＡＮ側の第２情報は、例えば、無線ＬＡＮのチャネル利用値（ＣｈａｎｎｅｌＵｔｉｌｉｚａｔｉｏｎＷＬＡＮ）、無線ＬＡＮの下りリンクのバックホール値（ＢａｃｋｈａｕｌＲａｔｅＤｌＷＬＡＮ）、無線ＬＡＮの上りリンクのバックホール値（ＢａｃｋｈａｕｌＲａｔｅＵｌＷＬＡＮ）、受信信号の信号レベル（ＲＳＳＩ；Ｒｅｃｅｉｖｅｄ  Ｓｉｇｎａｌ  Ｓｔｒｅｎｇｔｈ  Ｉｎｄｉｃａｔｏｒ）である。
【００３７】
（移動通信網から無線ＬＡＮに対する切替処理）
無線端末が移動通信網から無線ＬＡＮに対して待ち受け先又は接続先を切り替える第１条件は、例えば、以下の条件（１ａ）又は（１ｂ）のいずれかが満たされることである。但し、第１条件は、以下の条件（１ａ）〜（１ｂ）の全てが満たされることであってもよい。
【００３８】
（１ａ）ＲＳＲＰｍｅａｓ＜ＴｈｒｅｓｈＳｅｒｖｉｎｇＯｆｆｌｏａｄＷＬＡＮ，ＬｏｗＰ
（１ｂ）ＲＳＲＱｍｅａｓ＜ＴｈｒｅｓｈＳｅｒｖｉｎｇＯｆｆｌｏａｄＷＬＡＮ，ＬｏｗＱ
【００３９】
なお、“ＴｈｒｅｓｈＳｅｒｖｉｎｇＯｆｆｌｏａｄＷＬＡＮ，ＬｏｗＰ”及び“ＴｈｒｅｓｈＳｅｒｖｉｎｇＯｆｆｌｏａｄＷＬＡＮ，ＬｏｗＱ”は、無線基地局１００から提供される閾値又は予め定められた閾値である。
【００４０】
無線端末が移動通信網から無線ＬＡＮに対して待ち受け先又は接続先を切り替える第２条件は、例えば、以下の条件（１ｃ）〜（１ｆ）の全てが満たされることである。但し、第２条件は、以下の条件（１ｃ）〜（１ｆ）のいずれかが満たされることであってもよい。
【００４１】
（１ｃ）ＣｈａｎｎｅｌＵｔｉｌｉｚａｔｉｏｎＷＬＡＮ＜ＴｈｒｅｓｈＣｈＵｔｉｌＷＬＡＮ，Ｌｏｗ
（１ｄ）ＢａｃｋｈａｕｌＲａｔｅＤｌＷＬＡＮ＞ＴｈｒｅｓｈＢａｃｋｈＲａｔｅＤＬＷＬＡＮ，Ｈｉｇｈ
（１ｅ）ＢａｃｋｈａｕｌＲａｔｅＵｌＷＬＡＮ＞ＴｈｒｅｓｈＢａｃｋｈＲａｔｅＵＬＷＬＡＮ，Ｈｉｇｈ
（１ｆ）ＲＳＳＩ＞ＴｈｒｅｓｈＢＥＡＣＯＮSＲＳＳＩ，Ｈｉｇｈ
【００４２】
なお、“ＴｈｒｅｓｈＣｈＵｔｉｌＷＬＡＮ，Ｌｏｗ”、“ＴｈｒｅｓｈＢａｃｋｈＲａｔｅＤＬＷＬＡＮ，Ｈｉｇｈ”、“ＴｈｒｅｓｈＢａｃｋｈＲａｔｅＵＬＷＬＡＮ，Ｈｉｇｈ”及び“ＴｈｒｅｓｈＢＥＡＣＯＮSＲＳＳＩ，Ｈｉｇｈ”は、無線基地局１００から提供される閾値又は予め定められた閾値である。
【００４３】
（無線ＬＡＮから移動通信網に対する切替処理）
無線端末が無線ＬＡＮから移動通信網に対して待ち受け先又は接続先を切り替える第１条件は、例えば、以下の条件（２ａ）及び（２ｂ）が満たされることである。但し、第１条件は、以下の条件（２ａ）又は（２ｂ）のいずれかが満たされることであってもよい。
【００４４】
（２ａ）ＲＳＲＰｍｅａｓ＞ＴｈｒｅｓｈＳｅｒｖｉｎｇＯｆｆｌｏａｄＷＬＡＮ，ＨｉｇｈＰ
（２ｂ）ＲＳＲＱｍｅａｓ＞ＴｈｒｅｓｈＳｅｒｖｉｎｇＯｆｆｌｏａｄＷＬＡＮ，ＨｉｇｈＱ
【００４５】
なお、“ＴｈｒｅｓｈＳｅｒｖｉｎｇＯｆｆｌｏａｄＷＬＡＮ，ＨｉｇｈＰ”及び“ＴｈｒｅｓｈＳｅｒｖｉｎｇＯｆｆｌｏａｄＷＬＡＮ，ＨｉｇｈＱ”は、無線基地局１００から提供される閾値又は予め定められた閾値である。
【００４６】
無線端末が無線ＬＡＮから移動通信網に対して待ち受け先又は接続先を切り替える第２条件は、例えば、以下の条件（２ｃ）〜（２ｆ）のいずれかが満たされることである。但し、第２条件は、以下の条件（２ｃ）〜（２ｆ）の全てが満たされることであってもよい。
【００４７】
（２ｃ）ＣｈａｎｎｅｌＵｔｉｌｉｚａｔｉｏｎＷＬＡＮ＞ＴｈｒｅｓｈＣｈＵｔｉｌＷＬＡＮ，Ｈｉｇｈ
（２ｄ）ＢａｃｋｈａｕｌＲａｔｅＤｌＷＬＡＮ＜ＴｈｒｅｓｈＢａｃｋｈＲａｔｅＤＬＷＬＡＮ，Ｌｏｗ
（２ｅ）ＢａｃｋｈａｕｌＲａｔｅＵｌＷＬＡＮ＜ＴｈｒｅｓｈＢａｃｋｈＲａｔｅＵＬＷＬＡＮ，Ｌｏｗ
（２ｆ）ＲＳＳＩ＜ＴｈｒｅｓｈＢＥＡＣＯＮSＲＳＳＩ，Ｌｏｗ
【００４８】
なお、“ＴｈｒｅｓｈＣｈＵｔｉｌＷＬＡＮ，Ｈｉｇｈ”、“ＴｈｒｅｓｈＢａｃｋｈＲａｔｅＤＬＷＬＡＮ，Ｌｏｗ”、“ＴｈｒｅｓｈＢａｃｋｈＲａｔｅＵＬＷＬＡＮ，Ｌｏｗ”及び“ＴｈｒｅｓｈＢＥＡＣＯＮSＲＳＳＩ，Ｌｏｗ”は、無線基地局１００から提供される閾値又は予め定められた閾値である。
【００４９】
なお、上述した閾値が提供されていない場合には、無線端末１０は、閾値が提供されていない情報の取得（すなわち、受信又は測定）を省略してもよい。
【００５０】
第１実施形態において、上述した各種閾値は、無線端末が移動通信網と無線ＬＡＮとの間で待ち受け先又は接続先を切り替える切替処理を行うか否かを判定するための判定パラメータ（例えば、ＲＡＮ  ａｓｓｉｓｔａｎｃｅ  ｐａｒａｍｅｔｅｒ）の一例である。すなわち、判定パラメータは、“ＴｈｒｅｓｈＳｅｒｖｉｎｇＯｆｆｌｏａｄＷＬＡＮ，ＬｏｗＰ”、“ＴｈｒｅｓｈＳｅｒｖｉｎｇＯｆｆｌｏａｄＷＬＡＮ，ＬｏｗＱ”、“ＴｈｒｅｓｈＣｈＵｔｉｌＷＬＡＮ，Ｌｏｗ”、“ＴｈｒｅｓｈＢａｃｋｈＲａｔｅＤＬＷＬＡＮ，Ｈｉｇｈ”、“ＴｈｒｅｓｈＢａｃｋｈＲａｔｅＵＬＷＬＡＮ，Ｈｉｇｈ”、“ＴｈｒｅｓｈＢＥＡＣＯＮSＲＳＳＩ，Ｈｉｇｈ”、“ＴｈｒｅｓｈＳｅｒｖｉｎｇＯｆｆｌｏａｄＷＬＡＮ，ＨｉｇｈＰ”、“ＴｈｒｅｓｈＳｅｒｖｉｎｇＯｆｆｌｏａｄＷＬＡＮ，ＨｉｇｈＱ”、“ＴｈｒｅｓｈＣｈＵｔｉｌＷＬＡＮ，Ｈｉｇｈ”、“ＴｈｒｅｓｈＢａｃｋｈＲａｔｅＤＬＷＬＡＮ，Ｌｏｗ”、“ＴｈｒｅｓｈＢａｃｋｈＲａｔｅＵＬＷＬＡＮ，Ｌｏｗ”及び“ＴｈｒｅｓｈＢＥＡＣＯＮSＲＳＳＩ，Ｌｏｗ”の中から選択された１つ以上の値を含む。
【００５１】
さらに、判定パラメータは、第１条件又は第２条件が満たされている状態が継続すべき所定期間（ＴｓｔｅｅｒｉｎｇＷＬＡＮ）を含んでもよい。或いは、判定パラメータは、移動通信網から無線ＬＡＮに対して待ち受け先又は接続先を切り替えるオフロード処理を行った場合に、後述する個別パラメータを無線端末１０が保持すべき所定期間（Ｔ３５０タイマ値）を含んでもよい。
【００５２】
判定パラメータとしては、無線基地局１００から無線端末１０に対して個別に通知される個別パラメータ及び無線基地局１００から無線端末１０に対して報知される報知パラメータが存在する。個別パラメータは、例えば、無線基地局１００から無線端末１０に送信されるＲＲＣメッセージ（例えば、ＲＲＣ  Ｃｏｎｎｅｃｔｉｏｎ  Ｒｅｃｏｎｆｉｇｕｒａｔｉｏｎ）に含まれる。報知パラメータは、例えば、無線基地局１００から報知されるＳＩＢ（例えば、ＷＬＡＮ−ＯｆｆｌｏａｄＣｏｎｆｉｇ−ｒ１２）に含まれる。無線端末１０は、報知パラメータに加えて個別パラメータを受信した場合に、報知パラメータよりも個別パラメータを優先して適用することに留意すべきである。
【００５３】
（無線端末）
以下において、第１実施形態に係る無線端末について説明する。図２は、第１実施形態に係る無線端末１０を示すブロック図である。
【００５４】
図２に示すように、無線端末１０は、ＬＴＥ無線通信部１１（トランシーバ／トランスミッタ／レシーバ）と、ＷＬＡＮ無線通信部１２（トランシーバ／トランスミッタ／レシーバ）と、制御部１３（コントローラ）とを有する。
【００５５】
ＬＴＥ無線通信部１１は、無線基地局１００と無線通信を行う機能を有し、例えば、無線送受信機によって構成される。例えば、ＬＴＥ無線通信部１１は、無線基地局１００から参照信号を定期的に受信する。ＬＴＥ無線通信部１１は、参照信号の信号レベル（ＲＳＲＰ）及び参照信号の信号品質（ＲＳＲＱ）を定期的に測定する。ＬＴＥ無線通信部１１は、判定パラメータとして個別パラメータ及び報知パラメータを無線基地局１００から受信する。
【００５６】
ＷＬＡＮ無線通信部１２は、アクセスポイント２００と無線通信を行う機能を有し、例えば、無線送受信機によって構成される。例えば、ＷＬＡＮ無線通信部１２は、アクセスポイント２００からビーコン又はプローブ応答を受信する。ビーコン又はプローブ応答は、ＢＢＳ  Ｌｏａｄ情報要素を含み、無線ＬＡＮのチャネル利用値（ＣｈａｎｎｅｌＵｔｉｌｉｚａｔｉｏｎＷＬＡＮ）は、ＢＢＳ  Ｌｏａｄ情報要素から取得することができる。
【００５７】
ＷＬＡＮ無線通信部１２は、アクセスポイント２００に対する要求（ＧＡＳ（Ｇｅｎｅｒｉｃ  Ａｄｖｅｒｔｉｓｅｍｅｎｔ  Ｓｅｒｖｉｃｅ）  Ｒｅｑｕｅｓｔ）に応じてアクセスポイント２００から返信される応答（ＧＡＳ  Ｒｅｓｐｏｎｓｅ）を受信する。応答（ＧＡＳ  Ｒｅｓｐｏｎｓｅ）は、無線ＬＡＮの下りリンクのバックホール値（ＢａｃｋｈａｕｌＲａｔｅＤｌＷＬＡＮ）及び無線ＬＡＮの上りリンクのバックホール値（ＢａｃｋｈａｕｌＲａｔｅＵｌＷＬＡＮ）を含む。このような問合せ手順は、ＷＦＡ（Ｗｉ−Ｆｉ  Ａｌｌｉａｎｃｅ）のＨｏｔｓｐｏｔ２．０で規定されるＡＮＱＰ（Ａｃｃｅｓｓ  Ｎｅｔｗｏｒｋ  Ｑｕｅｒｙ  Ｐｒｏｔｏｃｏｌ）に従って行われる。
【００５８】
ＷＬＡＮ無線通信部１２は、アクセスポイント２００から信号を受信する。ＷＬＡＮ無線通信部１２は、受信信号の信号レベル（ＲＳＳＩ）を測定する。受信信号の信号レベル（ＲＳＳＩ）は、ビーコン又はプローブ応答の信号強度である。
【００５９】
制御部１３は、ＣＰＵ（プロセッサ）及びメモリ等によって構成されており、無線端末１０を制御する。具体的には、制御部１３は、ＬＴＥ無線通信部１１及びＷＬＡＮ無線通信部１２を制御する。また、制御部１３は、移動通信網側の第１情報が第１条件を満たしており、かつ、無線ＬＡＮ側の第２情報が第２条件を満たしている状態が所定期間に亘って継続する場合に、移動通信網と無線ＬＡＮとの間で待ち受け先又は接続先を切り替える切替処理を実行する。
【００６０】
第１実施形態において、制御部１３は、移動通信網から無線ＬＡＮに対して待ち受け先又は接続先を切り替えるオフロード処理を行った後に、無線ＬＡＮから移動通信網に対して待ち受け先又は接続先を切り替えるリオフロード処理を行った場合に、個別パラメータを破棄する。
【００６１】
詳細には、制御部１３は、原則として、オフロード処理に伴ってアイドル状態へ遷移が行われる際に無線端末１０が起動する所定タイマ（上述した（Ｔ３５０タイマ）が起動されている期間（Ｔ３５０タイマ値）において、個別パラメータを保持するように構成されている。言い換えると、制御部１３は、所定タイマの満了又は所定タイマの停止によって、個別パラメータを破棄するように構成されている。
【００６２】
（無線基地局）
以下において、第１実施形態に係る無線基地局について説明する。図３は、第１実施形態に係る無線基地局１００を示すブロック図である。
【００６３】
図３に示すように、無線基地局１００は、ＬＴＥ無線通信部１１０（トランシーバ／トランスミッタ／レシーバ）と、制御部１２０（コントローラ）と、ネットワークインターフェイス１３０とを有する。
【００６４】
ＬＴＥ無線通信部１１０は、無線端末１０と無線通信を行う機能を有する。例えば、ＬＴＥ無線通信部１１０は、無線端末１０に対して参照信号を定期的に送信する。ＬＴＥ無線通信部１１０は、例えば、無線送受信機によって構成される。ＬＴＥ無線通信部１１０は、判定パラメータとして個別パラメータ及び報知パラメータを無線端末１０に送信する。上述したように、ＬＴＥ無線通信部１１０は、ＲＲＣメッセージ（例えば、ＲＲＣ  Ｃｏｎｎｅｃｔｉｏｎ  Ｒｅｃｏｎｆｉｇｕｒａｔｉｏｎ）によって個別パラメータを無線端末１０に通知し、ＳＩＢ（例えば、ＷＬＡＮ−ＯｆｆｌｏａｄＣｏｎｆｉｇ−ｒ１２）によって報知パラメータを無線端末１０に通知する。
【００６５】
制御部１２０は、ＣＰＵ（プロセッサ）及びメモリ等によって構成されており、無線基地局１００を制御する。具体的には、制御部１２０は、ＬＴＥ無線通信部１１０及びネットワークインターフェイス１３０を制御する。なお、制御部１２０を構成するメモリが記憶部として機能してもよいし、制御部１２０を構成するメモリとは別に記憶部を構成するメモリが設けられてもよい。
【００６６】
ネットワークインターフェイス１３０は、Ｘ２インターフェイスを介して近隣基地局と接続され、Ｓ１インターフェイスを介してＭＭＥ／Ｓ−ＧＷと接続される。ネットワークインターフェイス１３０は、Ｘ２インターフェイス上で行う通信及びＳ１インターフェイス上で行う通信に用いられる。また、ネットワークインターフェイス１３０は、所定のインターフェイスを介してアクセスポイント２００と接続されてもよい。ネットワークインターフェイス１３０は、アクセスポイント２００との通信に用いられる。
【００６７】
（切替処理の判定）
以下において、切替処理の判定について、移動通信網から無線ＬＡＮに対する切替処理を例に挙げて説明する。
【００６８】
第１に、第１情報が第１条件を満たしている状態が所定期間（ＴｓｔｅｅｒｉｎｇＷＬＡＮ）に亘って継続するか否かを判定する方法について説明する。第１情報は、参照信号の信号レベル（ＲＳＲＰ）の測定結果（ＲＳＲＰｍｅａｓ）又は参照信号の信号品質（ＲＳＲＱ）の測定結果（ＲＳＲＱｍｅａｓ）であり、参照信号は短い周期で定期的に受信され、ＲＳＲＰｍｅａｓ又はＲＳＲＱｍｅａｓが比較的に短い周期で測定される。すなわち、ＲＳＲＰｍｅａｓ又はＲＳＲＱｍｅａｓは、時間軸方向において連続的に取得される。
【００６９】
第２に、第２情報が第２条件を満たしている状態が所定期間（ＴｓｔｅｅｒｉｎｇＷＬＡＮ）に亘って継続するか否かを判定する方法について説明する。第２情報を取得する周期について取り決めがない。すなわち、第２情報（例えば、ＢａｃｋｈａｕｌＲａｔｅＤｌＷＬＡＮ又はＢａｃｋｈａｕｌＲａｔｅＵｌＷＬＡＮ）は、時間軸方向において離散的に取得される。
【００７０】
（実施形態に係る動作）
次に、実施形態に係る動作について説明する。具体的には、ピンポン現象を抑制するために、判定パラメータを最適化するための情報を取得する動作について説明する。
【００７１】
以下において、ピンポン現象の発生を判定するために、無線ＬＡＮに無線端末１０が滞在していた滞在時間を計測する主体が、（Ａ）無線基地局（ｅＮＢ）１００であるケース、（Ｂ）無線端末（ＵＥ）１０であるケース、（Ｃ）アクセスポイント（ＡＰ）２００であるケース、を説明する。なお、各ケースにおいて、同様の内容の説明は適宜省略する。
【００７２】
（Ａ）無線基地局１００
無線基地局１００が、無線ＬＡＮに無線端末１０が滞在していた滞在時間を計測するＵＥ滞在タイマ（ＵＥ  ｓｔａｙ  ｔｉｍｅｒ）を有するケースについて説明する。
【００７３】
第１に、無線基地局１００から無線ＬＡＮへのオフロード処理を実行した無線端末１０が、無線ＬＡＮから同じ無線基地局１００へのリオフロード処理を実行するケースについて、図４を用いて説明する。図４は、実施形態に係る動作（Ａ−１）を説明するためのシーケンス図である。
【００７４】
図４に示すように、ステップＳ１０１において、無線端末１０は、無線基地局１００からアクセスポイント２００へのオフロード処理を実行する。
【００７５】
ステップＳ１０２において、無線基地局１００は、オフロード処理の実行をトリガとして、ＵＥ滞在タイマを開始する。例えば、無線基地局１００は、オフロード処理の開始又は終了（アクセスポイント２００への接続完了）を検出した場合に、ＵＥ滞在タイマを開始する。或いは、無線基地局１００は、無線基地局１００によって管理するセルにおいて無線端末１０がアイドル状態に遷移する手順によってオフロード処理の実行を検出した場合に、ＵＥ滞在タイマを開始する。すなわち、無線基地局１００は、無線端末１０とのＲＲＣ接続の解放をトリガとしてＵＥ滞在タイマを開始してもよい。
【００７６】
或いは、外部ネットワークから又は外部ネットワークにユーザデータを中継する制御を行うネットワークノードであるＰ−ＧＷ（Ｐａｃｋｅｔ  ｄａｔａ  ｎｅｔｗｏｒｋ  Ｇａｔｅｗａｙ）が、無線端末１０のデータの流れに基づいて、オフロード処理（又はリオフロード処理）が実行されたことを判定してもよい。Ｐ−ＧＷは、オフロード処理を示す情報を、例えば、ＵＥ１００に対する各種モビリティ制御等を行うネットワークノードであり、制御局に該当するＭＭＥ等のネットワークノードを経由して、無線基地局１００に通知する。無線基地局１００は、オフロード処理を示す情報の受信をトリガとしてＵＥ滞在タイマを開始してもよい。
【００７７】
ステップＳ１０３において、無線端末１０は、アクセスポイント２００から無線基地局１００へのリオフロード処理を実行する。
【００７８】
ステップＳ１０４において、無線基地局１００は、リオフロード処理の実行をトリガとして、ＵＥ滞在タイマを停止する。例えば、無線基地局１００は、リオフロード処理の開始又は終了を検出した場合に、ＵＥ滞在タイマを停止する。或いは、無線基地局１００は、無線基地局１００によって管理するセルにおいて無線端末１０がコネクティッド状態に遷移する手順によってリオフロード処理の実行を検出した場合に、ＵＥ滞在タイマを停止する。すなわち、無線基地局１００は、無線端末１０とのＲＲＣ接続の確立をトリガとしてＵＥ滞在タイマを停止してもよい。或いは、無線基地局１００は、無線端末１０からのＲＲＣ接続要求の受信をトリガとしてＵＥ滞在タイマを停止してもよい。或いは、無線基地局１００は、Ｐ−ＧＷからのリオフロード処理を示す情報の受信をトリガとしてＵＥ滞在タイマを停止してもよい。
【００７９】
ステップＳ１０５において、無線基地局１００は、計測した滞在時間に基づいて、ピンポン現象が発生しているか否かを判定（分析）する。無線基地局１００は、ピンポン現象が発生していることを示す閾値よりも滞在時間が短い（小さい）場合、ピンポン現象が発生していると判定する。従って、オフロード処理を行ってからリオフロード処理を行うまでに経過した時間（滞在時間）が所定時間内である場合、ピンポン現象が発生していると判定する。
【００８０】
ステップＳ１０６において、無線基地局１００は、ピンポン現象が発生していると判定した場合、判定パラメータの最適化を行う。例えば、無線基地局１００は、移動通信網側の第１情報に関する閾値を低く設定する。或いは、無線基地局１００−１は、無線ＬＡＮ側の第２情報に関する閾値を高く設定する。つまり、無線基地局１００は、無線ＬＡＮへのオフロード処理が実行されにくくなるような判定パラメータに設定する。
【００８１】
或いは、無線基地局１００は、所定期間（ＴｓｔｅｅｒｉｎｇＷＬＡＮ）を示すタイマ（Ｔｓｔｅｅｒｉｎｇ  ＷＬＡＮ  Ｔｉｍｅｒ）の最適化を行う。当該タイマは、オフロード処理又はリオフロード処理を実行するために、第１情報が第１条件を満たしている状態又は第２情報が第２条件を満たしている状態が継続すべき最小の時間（ＴｓｔｅｅｒｉｎｇＷＬＡＮ）を計測するためのタイマである。例えば、無線基地局１００は、当該タイマを現在の設定値よりも長く設定する。
【００８２】
第２に、無線基地局１００−１から無線ＬＡＮへのオフロード処理を実行した無線端末１０が、無線ＬＡＮから無線基地局１００−１と異なる無線基地局１００−２へのリオフロード処理を実行するケースについて、図５を用いて説明する。図５は、実施形態に係る動作（Ａ−２）を説明するためのシーケンス図である。
【００８３】
ステップＳ２０１において、無線端末１０は、無線基地局１００−１からアクセスポイント２００へのオフロード処理を実行する。なお、ここでは、無線端末１０は、無線基地局１００によって管理するセルにおいてコネクティッド状態である。
【００８４】
ステップＳ２０２において、無線基地局１００−１は、オフロード処理の実行をトリガとして、ＵＥ滞在タイマを開始する。
【００８５】
ステップＳ２０３において、無線端末１０は、ハンドオーバ手順によって、無線端末１０が在圏するセルを無線基地局１００−１によって管理するセルから無線基地局１００−２によって管理するセルに変更する。なお、「在圏」とは、無線基地局１００−１が管理するセルに対する待ち受け状態（ＲＲＣアイドル状態）であってもよく、無線基地局１００−１が管理するセルに接続された接続状態（ＲＲＣコネクティッド状態）であってもよい。
【００８６】
なお、無線基地局１００−１は、ハンドオーバ手順において、無線基地局１００−２に対して、無線端末１０のＵＥ滞在タイマを起動していることを示す情報を送信してもよい。
【００８７】
ステップＳ２０４において、無線端末１０は、アクセスポイント２００から無線基地局１００−２へのリオフロード処理を実行する。
【００８８】
ステップＳ２０５において、無線基地局１００−２は、リオフロード処理の実行をトリガとして、無線端末１０のソース基地局であった無線基地局１００−１に対して、無線端末１０が無線ＬＡＮから無線基地局１００−１へのリオフロード処理を実行したことを示す情報（Ｒｅ−ｏｆｆｌｏａｄインディケータ（Ｒｅ−ｏｆｆｌｏａｄ  Ｉｎｄｉｃａｏｒ））を送信する。例えば、無線基地局１００−２は、Ｐ−ＧＷからのリオフロード処理を示す情報の受信をトリガとして、Ｒｅ−ｏｆｆｌｏａｄインディケータを送信する。なお、上記実施形態では、一例としてＲｅ−ｏｆｆｌｏａｄインディケータ（Ｒｅ−ｏｆｆｌｏａｄ  Ｉｎｄｉｃａｏｒ）を送信することとしたが、これに限られず、無線端末１０が無線ＬＡＮから無線基地局１００−１へのリオフロード処理を実行したことを示す単なる通知であってもよい。
【００８９】
Ｒｅ−ｏｆｆｌｏａｄインディケータは、以下の少なくとも一部の情報を含むことができる。
【００９０】
・メッセージ種類（Ｍｅｓｓａｇｅ  Ｔｙｐｅ）
・ｅＮＢ識別子（Ｅ−ＵＴＲＡＮ  ＣＧＩ（Ｓｏｕｒｃｅ  ｃｅｌｌ／Ｔａｒｇｅｔ  ｃｅｌｌ））
・ＷＬＡＮ識別子（ＷＬＡＮ  ＩＤ）
・ＵＥ識別子（ＵＥ  ＩＤ）
【００９１】
なお、メッセージ種類は、メッセージがＲｅ−ｏｆｆｌｏａｄインディケータであることを示す。
【００９２】
ｅＮＢ識別子は、オフロード処理が行われた無線基地局１００を示す識別子（送信先の識別子）、及び、リオフロード処理が行われた無線基地局１００を示す識別子（送信元の識別子）のそれぞれの識別子である。
【００９３】
ＷＬＡＮ識別子は、リオフロード処理が行われたアクセスポイント２００を示す識別子である。ＷＬＡＮ識別子は、例えば、ＢＳＳＩＤ（Ｂａｓｉｃ  Ｓｅｒｖｉｃｅ  Ｓｅｔ  Ｉｄｅｎｔｉｆｉｅｒ）、ＨＥＳＳＩＤ（Ｈｏｍｏｇｅｎｏｕｓ  Ｅｘｔｅｎｄｅｄ  Ｓｅｒｖｉｃｅ  Ｓｅｔ  Ｉｄｅｎｔｉｆｉｅｒ）、ＳＳＩＤ（Ｓｅｒｖｉｃｅ  Ｓｅｔ  Ｉｄｅｎｔｉｆｉｅｒ）のいずれかである。
【００９４】
ＵＥ識別子は、無線端末１０を示す識別子である。
【００９５】
ステップＳ２０６において、無線基地局１００−１は、Ｒｅ−ｏｆｆｌｏａｄインディケータの受信に応じて、ＵＥ滞在タイマを停止する。
【００９６】
ステップＳ２０７及びＳ２０８は、ステップＳ１０５及びＳ１０６に対応する。
【００９７】
なお、ステップＳ２０８において、無線基地局１００は、判定パラメータと同様にして、自セル内の無線端末１０にハンドオーバを実行させるか否かを判定するために使用するハンドオーバパラメータ（ＨＯ  ｐａｒａｍｅｔｅｒ）の最適化を行ってもよい。具体的には、無線基地局１００は、ハンドオーバ手順に起因してピンポン現象が発生していると判定した場合、オフロード処理が開始するよりも先にハンドオーバ手順が開始されるように、ハンドオーバパラメータを変更する。例えば、無線基地局１００は、無線端末１０が、無線基地局１００に測定報告を送るかどうかを判定するために使用される待ち時間（Ｔｉｍｅ  ｔｏ  Ｔｒｉｇｇｅｒ：ＴＴＴ）を短くする。また、無線基地局１００は、近隣セルに対して負荷するセル固有のオフセット値（Ｃｅｌｌ  Ｉｎｄｉｖｉｄｕａｌ  Ｏｆｆｓｅｔ：ＣＩＯ）を大きくしてもよい。これにより、オフロード処理よりも先にハンドオーバ手順が開始するため、ハンドオーバ元の無線基地局１００からの判定パラメータに従ってオフロード処理を実行した直後に、ハンドオーバ先の無線基地局１００からの判定パラメータに従ってリオフロード処理することを避けることができる。その結果、ピンポン現象の発生を抑制できる。
【００９８】
なお、無線基地局１００は、例えば、ハンドオーバ先の無線基地局１００からＲｅ−ｏｆｆｌｏａｄインディケータを受信し、且つ、ピンポン現象が発生していると判定した場合、当該ピンポン現象は、ハンドオーバ手順に起因してピンポン現象が発生していると判定する。
【００９９】
（Ｂ）無線端末１０
次に、無線端末１０が、ＵＥ滞在タイマを有するケースについて説明する。
【０１００】
第１に、無線基地局１００から無線ＬＡＮへのオフロード処理を実行した無線端末１０が、無線ＬＡＮから同じ無線基地局１００へのリオフロード処理を実行するケースについて、図６を用いて説明する。図６は、実施形態に係る動作（Ｂ−１）を説明するためのシーケンス図である。
【０１０１】
図６に示すように、ステップＳ３０１において、無線端末１０は、無線基地局１００からアクセスポイント２００へのオフロード処理を実行する。
【０１０２】
ステップＳ３０２において、無線端末１０は、オフロード処理の実行をトリガとして、ＵＥ滞在タイマを開始する。すなわち、無線端末１０は、ステップＳ１０２における無線基地局１００と同様にして、ＵＥ滞在タイマを開始する。無線端末１０は、オフロード処理を示す情報の受信をトリガとしてＵＥ滞在タイマを開始してもよい。
【０１０３】
ステップＳ３０３において、無線端末１０は、アクセスポイント２００から無線基地局１００へのリオフロード処理を実行する。
【０１０４】
ステップＳ３０４において、無線端末１０は、リオフロード処理の実行をトリガとして、ＵＥ滞在タイマを停止する。すなわち、無線端末１０は、ステップＳ１０４における無線基地局１００と同様にして、ＵＥ滞在タイマを停止する。無線端末１０は、リオフロード処理を示す情報の受信をトリガとしてＵＥ滞在タイマを停止してもよい。
【０１０５】
ステップＳ３０５において、無線端末１０は、ＵＥ滞在タイマの計測結果（すなわち、滞在時間の計測結果）を示すメッセージであるＲｅ−ｏｆｆｌｏａｄインディケータ及び／又はピンポンインディケータ（Ｐｉｎｇ−Ｐｏｎｇ  Ｉｎｄｉｃａｔｏｒ）を送信する。
【０１０６】
Ｒｅ−ｏｆｆｌｏａｄインディケータは、無線端末１０が無線ＬＡＮから無線基地局１００へのリオフロード処理を実行したことを示すメッセージであると共に／又は滞在時間の値を示すメッセージである。また、ピンポンインディケータは、オフロード処理が行われてからリオフロード処理が行われるまでの時間が一定期間内であることを示すメッセージである。従って、無線端末１０は、ＵＥ滞在タイマを停止した後に、Ｒｅ−ｏｆｆｌｏａｄインディケータを送信できる。一方で、無線端末１０は、計測した滞在時間がピンポン現象の発生を示す閾値よりも短い場合に限り、ピンポンインディケータを送信できる。すなわち、ピンポンインディケータは、ピンポン現象が発生していると判断した結果を示す。また、ピンポンインディケータは、単にピンポン現象が発生したことを示すメッセージであってもよい。ここで、ピンポン現象とは、例えば、無線端末１０が移動通信網から無線ＬＡＮへ接続先を切り替えてから無線ＬＡＮから移動通信網へ接続先を切り替え、かつ所定条件を満たす（例えば、無線ＬＡＮの滞在時間がピンポン現象の発生を示す閾値よりも短い）現象であるといってもよい。これ以降、ピンポン現象とは上記の意味を含んでもよい。
【０１０７】
Ｒｅ−ｏｆｆｌｏａｄインディケータ及びピンポンインディケータは、以下の情報を含むことができる。なお、上述のＲｅ−ｏｆｆｌｏａｄインディケータと同様の部分は説明を適宜省略する。
【０１０８】
・メッセージ種類（Ｍｅｓｓａｇｅ  Ｔｙｐｅ）
・ｅＮＢ識別子（Ｅ−ＵＴＲＡＮ  ＣＧＩ（Ｓｏｕｒｃｅ  ｃｅｌｌ／Ｔａｒｇｅｔ  ｃｅｌｌ））
・ＷＬＡＮ識別子（ＷＬＡＮ  ＩＤ）
・ＵＥ識別子（ＵＥ  ＩＤ）
・ＷＬＡＮ滞在時間（ＷＬＡＮＳｔａｙＴｉｍｅｒ）
・オフロードトラフィック（ＯｆｆｌｏａｄＴｒａｆｆｉｃ）
・リオフロード理由（Ｒｅ−ｏｆｆｌｏａｄＣａｕｓｅ）
・ユーザプリファレンス（ＵｓｅｒＰｒｅｆｅｒｅｎｃｅ）
・ＵＥ測定報告（ＵＥ  ｍｅａｓｕｒｅｍｅｎｔＲｅｐｏｒｔ）
【０１０９】
なお、ここでは、ｅＮＢ識別子は、オフロード処理及びリオフロード処理が行われた無線基地局１００（又はセル）を示す識別子である。
【０１１０】
ＷＬＡＮ滞在時間は、ＵＥ滞在タイマの計測結果を示す。すなわち、ＷＬＡＮ滞在時間は、無線ＬＡＮに無線端末１０が滞在していた滞在時間の値を示す。
【０１１１】
オフロードトラフィックは、無線端末１０が無線ＬＡＮにおいてオフロードしたデータ量を示す。
【０１１２】
リオフロード理由は、無線端末１０がリオフロードした理由を示す。リオフロードするために使用された判定パラメータ（ＲＡＮ  ａｓｓｉｓｔａｎｃｅ  ｐａｒａｍｅｔｅｒ）に含まれる閾値を示してもよい。或いは、判定パラメータに含まれる各閾値（例えば、ＣｈａｎｎｅｌＵｔｉｌｉｚａｔｉｏｎＷＬＡＮ、ＢａｃｋｈａｕｌＲａｔｅ、ＢａｃｋｈａｕｌＲａｔｅＵｌＷＬＡＮ、ＲＳＲＰ、ＲＳＲＱ）のそれぞれに対する理由（例えば、測定値）を示してもよい。
【０１１３】
ユーザプリファレンスは、ユーザの意思でリオフロード処理を実行したことを示す。例えば、マニュアル操作によってユーザが無線ＬＡＮを選択したことを示す情報である。すなわち、無線端末の制御部に対して、無線ＬＡＮを選択する指示の入力があった場合又はそれに相当する指示の入力があった場合に、Ｒｅ−ｏｆｆｌｏａｄインディケータ及びピンポンインディケータはユーザプリファレンスを含む。或いは、ユーザプリファレンスは、例えば、ユーザの意思でリオフロード処理が行われた場合にオンを示し、ユーザの意思でリオフロード処理が行われない場合にオフを示すフラグ情報であってもよい。
【０１１４】
ＵＥ測定報告は、無線ＬＡＮに滞在している間に測定した無線ＬＡＮにおける受信品質及び／又は受信強度を示す情報が含まれる。
【０１１５】
ステップＳ３０６及びＳ３０７は、ステップＳ１０５及びＳ１０６に対応する。
【０１１６】
無線基地局１００は、ピンポンインディケータを受信した場合には、ピンポン現象が発生しているか否かの判定を省略できる。
【０１１７】
なお、無線基地局１００は、上述したＲｅ−ｏｆｆｌｏａｄインディケータ及びピンポンインディケータに含まれる情報（特に、ＵＥ測定報告）に基づいて、アクセスポイント２００が有する第２カバレッジエリア２００Ａの状態を把握することができる。また、無線基地局１００は、上述したＲｅ−ｏｆｆｌｏａｄインディケータ及びピンポンインディケータに含まれる情報（特に、ＵＥ測定報告）に基づいて、オフロード処理の開始タイミングが適切であったか否かを判定することができる。例えば、無線基地局１００は、オフロード処理の開始時点で想定よりも無線ＬＡＮにおける受信強度が弱い場合には、オフロード処理の開始タイミングが早かったと判定する。
【０１１８】
無線基地局１００は、このような分析に基づいて、判定パラメータ及びＴｓｔｅｅｒｉｎｇ  ＷＬＡＮ  Ｔｉｍｅｒの最適化を行うことができる。
【０１１９】
なお、無線基地局１００は、判定パラメータ及びＴｓｔｅｅｒｉｎｇ  ＷＬＡＮ  Ｔｉｍｅｒの最適化をより適切に行うために、ユーザプリファレンスに基づいて、ユーザの意思でオフロード処理及びリオフロード処理を実行したケースを除いて、判定パラメータ及びＴｓｔｅｅｒｉｎｇ  ＷＬＡＮ  Ｔｉｍｅｒを設定（更新）してもよい。
【０１２０】
無線基地局１００は、ユーザプリファレンスを取得できない場合には、下記の統計情報に基づいて、ユーザの意思でオフロード処理及び／又はリオフロード処理を実行したケースを推測してもよい。例えば、無線基地局１００は、任意の時間における第１のスループットを計測していたと仮定する。この第１のスループットは、例えば、判定パラメータを更新する前の平均スループットである。この平均スループットには、ユーザの意思でリオフロード処理及びリオフロード処理を実行することによって変動するスループットが反映されている。次に、無線基地局１００は、判定パラメータを更新した際の第２のスループットを計測する。この第２のスループットもまた、ユーザの意思でリオフロード処理及びリオフロード処理を実行することによって変動するスループットが反映されている。従って、第１のスループットと第２のスループットとの差を、判定パラメータの更新に起因したスループットの変動量と見なすことができる。さらに、無線基地局１００は、第１のスループット（又は第２のスループット）に対する判定パラメータの更新に起因したスループットの変動量の割合を算出することによって、判定パラメータの更新に起因したスループットの割合（統計情報）を把握することができる。このように、無線基地局１００は、ユーザプリファレンスを取得できない場合であっても、統計情報を考慮することによって、判定パラメータ及びＴｓｔｅｅｒｉｎｇ  ＷＬＡＮ  Ｔｉｍｅｒを適切に設定（更新）することができる。
【０１２１】
第２に、無線基地局１００−１から無線ＬＡＮへのオフロード処理を実行した無線端末１０が、無線ＬＡＮから無線基地局１００−１と異なる無線基地局１００−２へのリオフロード処理を実行するケースについて、図７を用いて説明する。図７は、実施形態に係る動作（Ｂ−２）を説明するためのシーケンス図である。
【０１２２】
図７に示すように、ステップＳ４０１において、無線端末１０は、無線基地局１００−１からアクセスポイント２００へのオフロード処理を実行する。
【０１２３】
ステップＳ４０２において、無線端末１０は、オフロード処理の実行をトリガとして、ＵＥ滞在タイマを開始する。
【０１２４】
ステップＳ４０３及びＳ４０４は、ステップＳ２０３及びＳ２０４に対応する。
【０１２５】
ステップＳ４０５において、無線端末１０は、リオフロード処理の実行をトリガとして、ＵＥ滞在タイマを停止する。
【０１２６】
ステップＳ４０６において、無線端末１０は、Ｒｅ−ｏｆｆｌｏａｄインディケータ及び／又はピンポンインディケータを無線基地局１００−２に送信する。
【０１２７】
ステップＳ４０７において、無線基地局１００−２は、Ｒｅ−ｏｆｆｌｏａｄインディケータを受信した場合、Ｒｅ−ｏｆｆｌｏａｄインディケータに含まれるＷＬＡＮ滞在時間に基づいて、ピンポン現象が発生しているか否かを判定する。無線基地局１００−２は、ピンポン現象が発生している場合、ピンポンインディケータを無線端末１０のソース基地局であった無線基地局１００−１に送信する。ここでいうピンポンインディケータは、単なるピンポン現象の発生を示すものであってもよい。
【０１２８】
一方で、無線基地局１００−２は、無線端末１０からピンポンインディケータを受信した場合、当該ピンポンインディケータを無線端末１０のソース基地局であった無線基地局１００−１に転送する（Ｓ４０８参照）。また、無線基地局１００−２は、新たにピンポンインディケータを生成し、無線基地局１００−１に送信してもよい。
【０１２９】
ステップＳ４０９は、ステップＳ２０８に対応する。
【０１３０】
（Ｃ）アクセスポイント２００
次に、アクセスポイント２００が、ＵＥ滞在タイマを有するケースについて説明する。
【０１３１】
第１に、無線基地局１００から無線ＬＡＮへのオフロード処理を実行した無線端末１０が、無線ＬＡＮから同じ無線基地局１００へのリオフロード処理を実行するケースについて、図８を用いて説明する。図８は、実施形態に係る動作（Ｃ−１）を説明するためのシーケンス図である。
【０１３２】
ステップＳ５０１は、ステップＳ１０１に対応する。
【０１３３】
ステップＳ５０２において、アクセスポイント２００は、オフロード処理の実行をトリガとして、ＵＥ滞在タイマを開始する。例えば、アクセスポイント２００は、オフロード処理の開始又は終了を検出した場合に、ＵＥ滞在タイマを開始する。或いは、アクセスポイント２００は、無線端末１０との接続を開始する際に、ＵＥ滞在タイマを開始する。
【０１３４】
ステップＳ５０３は、ステップＳ１０３に対応する。
【０１３５】
ステップＳ５０４において、アクセスポイント２００は、リオフロード処理の実行をトリガとして、ＵＥ滞在タイマを停止する。例えば、アクセスポイント２００は、リオフロード処理の開始又は終了を検出した場合に、ＵＥ滞在タイマを停止する。或いは、アクセスポイント２００は、無線端末１０との接続を終了する際に、ＵＥ滞在タイマを停止する。
【０１３６】
ステップＳ５０５において、アクセスポイント２００は、ＵＥ滞在タイマの計測結果（すなわち、滞在時間の計測結果）を示すメッセージである滞在時間インディケータ（Ｓｔａｙ  ｔｉｍｅｒ  Ｉｎｄｉｃａｔｉｏｒ）を無線基地局１００に送信する。
【０１３７】
アクセスポイント２００は、無線端末１０がリオフロード処理を行う度に、滞在時間インディケータを送信してもよい。或いは、アクセスポイント２００は、滞在時間が閾値（例えば、ピンポン現象が発生していることを示す閾値）を超えた場合に、滞在時間インディケータを送信してもよい。また、滞在時間インディケータを送信する代わりに若しくは加えて、Ｒｅ−ｏｆｆｌｏａｄインディケータ及び／又はピンポンインディケータを送信してもよい。
【０１３８】
滞在時間インディケータは、以下の情報を含むことができる。
【０１３９】
・メッセージ種類（Ｍｅｓｓａｇｅ  Ｔｙｐｅ）
・ｅＮＢ識別子（Ｅ−ＵＴＲＡＮ  ＣＧＩ（Ｓｏｕｒｃｅ  ｃｅｌｌ／Ｔａｒｇｅｔ  ｃｅｌｌ））
・ＷＬＡＮ識別子（ＷＬＡＮ  ＩＤ）
・ＵＥ識別子（ＵＥ  ＩＤ）
・ＷＬＡＮ滞在時間（ＷＬＡＮＳｔａｙＴｉｍｅｒ）
・オフロードトラフィック（ＯｆｆｌｏａｄＴｒａｆｆｉｃ）
【０１４０】
なお、メッセージ種類は、メッセージが滞在時間インディケータであることを示す。また、ＵＥ識別子は、無線端末１０を識別可能な情報であればよく、例えば、契約者コード、ＩＰアドレス、及び、ＴＥＩＤ（Ｔｕｎｎｅｌ  Ｅｎｄｐｏｉｎｔ．  ＩＤｅｎｔｉｆｉｅｒ）の少なくともいずれかであってもよい。
【０１４１】
ステップＳ５０６及びＳ５０７は、ステップＳ１０５及びＳ１０６に対応する。
【０１４２】
第２に、無線基地局１００から無線ＬＡＮへのオフロード処理を実行した無線端末１０が、無線ＬＡＮから同じ無線基地局１００へのリオフロード処理を実行するケースについて、図９を用いて説明する。図９は、実施形態に係る動作（Ｃ−２）を説明するためのシーケンス図である。
【０１４３】
ＵＥ滞在タイマを有するアクセスポイント２００に関する上述の第１の動作では、アクセスポイント２００は、ピンポン現象の発生の判定を行っていなかった。この第２の動作では、アクセスポイント２００がピンポン現象の発生の判定を行う（Ｓ６０６参照）。
【０１４４】
ステップＳ６０１からＳ６０３は、ステップＳ５０１からＳ５０３に対応する。
【０１４５】
ステップＳ６０４において、無線基地局１００は、無線端末１０が無線ＬＡＮから無線基地局１００へのリオフロード処理を実行したことを示すＲｅ−ｏｆｆｌｏａｄインディケータをアクセスポイント２００に送信する。
【０１４６】
ステップＳ６０５において、アクセスポイント２００は、無線基地局１００からのＲｅ−ｏｆｆｌｏａｄインディケータの受信に応じて、ＵＥ滞在タイマを停止する。
【０１４７】
ステップＳ６０６において、アクセスポイント２００は、ステップＳ１０５の無線基地局１００と同様に、ピンポン現象が発生したか否かの判定を行う。
【０１４８】
ステップＳ６０７において、アクセスポイント２００は、ピンポン現象が発生していると判定した場合、ピンポンインディケータを無線基地局１００に送信する。或いは、アクセスポイント２００は、ピンポンインディケータの代わりに、滞在時間インディケータを無線基地局１００に送信してもよい。なお、ピンポンインディケータは、上述の滞在時間インディケータと同様の情報を含む。なお、ピンポンインディケータは、単なるピンポン現象の発生を示すものであってもよい。
【０１４９】
ステップＳ６０８は、ステップＳ１０６に対応する。
【０１５０】
第３に、無線基地局１００−１から無線ＬＡＮへのオフロード処理を実行した無線端末１０が、無線ＬＡＮから無線基地局１００−１と異なる無線基地局１００−２へのリオフロード処理を実行するケースについて、図１０を用いて説明する。図１０は、実施形態に係る動作（Ｃ−３）を説明するためのシーケンス図である。
【０１５１】
ステップＳ７０１、Ｓ７０３、Ｓ７０４は、ステップＳ２０１、Ｓ２０３、Ｓ２０４に対応する。ステップＳ７０２は、ステップＳ５０２に対応する。
【０１５２】
ステップＳ７０５において、無線基地局１００−２は、無線端末１０が無線ＬＡＮから無線基地局１００へのリオフロード処理を実行したことを示すＲｅ−ｏｆｆｌｏａｄインディケータをアクセスポイント２００に送信する。
【０１５３】
ステップＳ７０６において、アクセスポイント２００は、無線基地局１００−２からのＲｅ−ｏｆｆｌｏａｄインディケータの受信に応じて、ＵＥ滞在タイマを停止する。
【０１５４】
ステップＳ７０７は、ステップＳ６０６に対応する。
【０１５５】
ステップＳ７０８において、アクセスポイント２００は、ピンポン現象が発生していると判定した場合、無線端末１０のソース基地局であった無線基地局１００−１にピンポンインディケータを送信する。或いは、アクセスポイント２００は、ピンポンインディケータの代わりに滞在時間インディケータを無線基地局１００−１に送信してもよい。なお、ピンポンインディケータは、単なるピンポン現象の発生を示すものであってもよい。
【０１５６】
ステップＳ７０９は、ステップＳ２０８に対応する。
【０１５７】
（まとめ）
本実施形態では、無線基地局１００は、無線ＬＡＮの滞在時間を計測する。言い換えると、無線基地局１００は、ＵＥ滞在タイマを有する制御部を備える。これにより、無線基地局１００は、無線端末１０の無線ＬＡＮの滞在時間が把握できるため、ピンポン現象が発生しているか否かを把握できる。その結果、無線基地局１００は、判定パラメータを適切に設定することができる。
【０１５８】
本実施形態では、無線端末１０は、無線ＬＡＮの滞在時間を計測する。言い換えると、無線端末１０は、ＵＥ滞在タイマを有する制御部と、ＵＥ滞在タイマの計測結果に基づくメッセージ（Ｒｅ−ｏｆｆｌｏａｄインディケータ／ピンポンインディケータ）を送信する送信部と、を備える。また、アクセスポイント２００は、無線ＬＡＮの滞在時間を計測する。言い換えると、アクセスポイント２００は、ＵＥ滞在タイマを有する制御部（例えば、プロセッサ）と、ＵＥ滞在タイマの計測結果に基づくメッセージ（滞在時間インディケータ／ピンポンインディケータ）を送信する送信部（例えば、ネットワークインターフェイス／無線送受信機）と、を備える。また、無線基地局１００は、ＵＥ滞在タイマの計測結果を示すメッセージを受信する受信部を備える。これによって、無線基地局１００は、当該メッセージを受信することによって、ピンポン現象が発生しているか否かを把握できる。その結果、無線基地局１００は、判定パラメータを適切に設定することができる。
【０１５９】
本実施形態では、無線基地局１００は、無線端末１０が移動通信網から無線ＬＡＮに対して待ち受け先又は接続先を切り替えてから無線ＬＡＮから移動通信網に対して待ち受け先又は接続先を切り替え、且つ、所定条件を満たす現象（ピンポン現象）の発生を検出した場合に、無線端末１０が移動通信網から無線ＬＡＮに対して待ち受け先又は接続先を切り替えるか否かを判定する際に参照するパラメータを決定する。具体的には、無線基地局１００は、無線ＬＡＮへ待ち受け先又は接続先を切り替えた無線端末１０が移動通信網へ待ち受け先又は接続先を切り替え、且つ、ピンポン現象の発生を検出した場合に、無線端末が移動通信網から無線ＬＡＮに対して待ち受け先又は接続先を切り替えるか否かの判定、及び／又は、無線ＬＡＮから移動通信網に対して待ち受け先又は接続先を切り替えるか否かの判定に参照する判定パラメータを決定する。これにより、無線基地局１００は、ピンポン現象が発生しないように、判定パラメータを適切に設定することができる。
【０１６０】
［その他の実施形態］
本出願の内容を上述した実施形態によって説明したが、この開示の一部をなす論述及び図面は、本出願の内容を限定するものであると理解すべきではない。この開示から当業者には様々な代替実施形態、実施例及び運用技術が明らかとなろう。
【０１６１】
上述の実施形態において、ハンドオーバ手順の代わりに、セル（再）選択（Ｃｅｌｌ  （ｒｅ）ｓｅｌｅｃｔｉｏｎ）が実行される場合に、上述の動作が実行されてもよい。すなわち、オフロード処理は、無線端末１０がアイドル状態である場合に、実行されてもよい。
【０１６２】
上述した実施形態において、無線基地局１００は、ＵＥ滞在タイマに関する設定情報（Ｃｏｎｆｉｇｕｒａｔｉｏｎ）をＳＩＢ又は個別信号（ｄｅｄｉｃａｔｅｄ  ｓｉｇｎａｌｉｎｇ）によって無線端末１０に送信してもよい。無線基地局１００は、ＲＲＣ接続を確立している場合に（或いは、ＲＲＣ接続を確立する際に）、当該設定情報を無線端末１０に送信してもよい。無線端末１０は、当該設定情報に基づいて、ＵＥ滞在タイマを起動できる。
【０１６３】
また、設定情報は、Ｒｅ−ｏｆｆｌｏａｄインディケータ又はピンポンインディケータに含める情報を指定する情報が含まれていてもよい。無線端末１０は、当該設定情報に基づいて、Ｒｅ−ｏｆｆｌｏａｄインディケータ又はピンポンインディケータに含める情報を決定する。また、設定情報は、Ｒｅ−ｏｆｆｌｏａｄインディケータ又はピンポンインディケータに含めない情報を別途送信するタイミングを指定してもよい。
【０１６４】
また、無線端末１０は、例えば、ＵＥ測定報告及び／又はリオフロード理由をＲｅ−ｏｆｆｌｏａｄインディケータ又はピンポンインディケータとは別に、無線基地局１００に送信してもよい。例えば、無線端末１０は、無線基地局１００とのＲＲＣ接続が確立された場合（例えば、リオフロード処理が実行された場合）に、ＵＥ測定報告等を送信してもよい。或いは、無線端末１０は、無線基地局１００からの要求に基づいて、ＵＥ測定報告等を送信してもよい。無線基地局１００は、無線端末１０又はアクセスポイント２００からのＲｅ−ｏｆｆｌｏａｄインディケータ又はピンポンインディケータに、欲しい情報（例えば、ＵＥ測定報告等）が含まれない場合に、当該要求を無線端末１０に送信してもよい。無線基地局１００は、端末情報手順（ＵＥ  Ｉｎｆｏｒｍａｔｉｏｎ  Ｐｒｏｃｅｄｕｒｅ）によって当該要求を送信してもよい。
【０１６５】
従って、無線基地局１００は、無線端末１０からＲｅ−ｏｆｆｌｏａｄインディケータ又はピンポンインディケータを受信しない場合であっても、無線端末１０からのＵＥ測定報告及び／又はリオフロード理由を受信することによって、判定パラメータの最適化を行うことができる。
【０１６６】
或いは、無線端末１０は、ＭＤＴ（Ｍｉｎｉｍｉｚａｔｉｏｎ  ｏｆ  Ｄｒｉｖｅ  Ｔｅｓｔ）の測定結果と共にＵＥ測定報告を無線基地局１００に送信してもよい。ＭＤＴを行うよう設定（Ｃｏｎｆｉｇｕｒａｔｉｏｎ）された無線端末は、受信信号状態を測定し、該測定の結果に関する情報と測定時の位置情報とを含む測定データを移動通信網（無線基地局１００）に報告する。無線端末が通信実行中に行うＭＤＴは、即座報告型（Ｉｍｍｉｄｉａｔｅ  ＭＤＴ）と称されており、無線端末が待ち受け中に行うＭＤＴは、記録型（Ｌｏｇｇｅｄ  ＭＤＴ）と称されている。無線端末１０は、即座報告型ＭＤＴ及び記録型ＭＤＴのいずれかの報告と共に、ＵＥ測定報告を無線基地局１００に送信できる。
【０１６７】
また、無線基地局１００は、無線ＬＡＮに滞在している間に測定する無線ＬＡＮにおける受信品質及び／又は受信強度の測定に関する設定情報（Ｃｏｎｆｉｇｕｒａｔｉｏｎ）をＳＩＢ又は個別信号（ｄｅｄｉｃａｔｅｄ  ｓｉｇｎａｌｉｎｇ）によって無線端末１０に送信してもよい。例えば、当該設定情報は、測定の報告方法、測定の周期、測定対象となる周波数、測定対象が含まれるエリア情報（例えば、Ｔｒａｃｋｉｎｇ  Ａｒｅａ等）を指定する情報を含む。
【０１６８】
また、無線基地局１００は、ＵＥ測定報告に基づいて、オフロード対象となるアクセスポイント２００を決定してもよい。例えば、所定のアクセスポイント２００の受信強度が低いエリアが存在する場合、当該エリアにおいて所定のアクセスポイント２００をオフロード対象から外してもよい。
【０１６９】
実施形態では特に触れていないが、無線端末１０及び無線基地局１００のいずれかが行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１７０】
或いは、無線端末１０及び無線基地局１００のいずれかが行う各処理を実行するためのプログラムを記憶するメモリ及びメモリに記憶されたプログラムを実行するプロセッサ）によって構成されるチップが提供されてもよい。
【０１７１】
実施形態では、移動通信網としてＬＴＥを例示した。しかしながら、実施形態はこれに限定されるものではない。移動通信網は、通信キャリアによって提供されるネットワークであればよい。従って、移動通信網は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）であってもよく、ＧＳＭ（登録商標）であってもよい。
【０１７２】
[付記]
以下において、本実施形態の付記事項について説明する。
【０１７３】
（１）導入
この付記では、ＲＡＮアシスタントパラメータを最適化するために、ＷＬＡＮを伴うＭＲＯ（Ｍｏｂｉｌｉｔｙ  Ｒｏｂｕｓｔｎｅｓｓ  Ｏｐｔｉｍｉｚａｔｉｏｎ）の必要性について説明する。
【０１７４】
（２）説明
（２．１）ＷＬＡＮを伴う協調の更なるユースケースの必要性
ＲＡＮ補助パラメータ（判定パラメータ）は、Ｅ−ＵＴＲＡＮとＷＬＡＮとの間のトラフィックステアリングの決定のためにＵＥにおいて使用される。ＲＡＮ補助パラメータは、ｅＮＢによって設定される。同メカニズムは、ＵＴＲＡＮのために導入されたが、説明を簡単にするために、次の考察は、Ｅ−ＵＴＲＡＮのためのＲＡＮ補助パラメータを前提とする。
【０１７５】
表１は、ｅＮＢが適切な値でパラメータを設定するために、ＲＡＮ補助パラメータの概要を、いくつかのカテゴリー及び可能な解決策と共に示す。（少なくとも初期において）パラメータを提供するＯＡＭがベースラインであるが、表１では省略していることに留意すべきである。
【０１７６】
ＵＥのスループット及びセル負荷を最適化するために、ＲＳＲＰ及びＲＳＲＱ閾値が用いられる。これらの閾値が基地局自身の負荷状況（ｌｏａｄ  ｓｔａｔｕｓ）に基づいて決定されることが前提とされる。
【０１７７】
見解１：ＲＳＲＰ及びＲＳＲＱ閾値は、基地局自身の状況（ｃｏｎｄｉｔｉｏｎ）によって決定されてもよい。
【０１７８】
ＷＬＡＮでのスループット及び／又は負荷状況を評価するために用いられるＢＳＳ負荷、ＷＡＮメトリック及びビーコンＲＳＳＩに関して、他の閾値が利用可能である。これらの閾値は、ＲＳＲＰ及びＲＳＲＱ閾値と極めて同様の目的のために、特に、トラフィックステアリングの前後のＵＥスループットの最適化のために用いられる。従って、ＷＬＡＮにおけるＵＥスループットを推定するために生み出された解決策が、これらの閾値の決定のために再利用されてもよい。
【０１７９】
見解２：ＢＳＳ負荷、ＷＡＮメトリック及びビーコンＲＳＳＩ閾値を、ＷＬＡＮにおけるＵＥスループットの評価のために生み出された解決策によって決定することが可能である。
【０１８０】
見解３：スループット及び負荷最適化のためのＲＡＮ補助パラメータを、既存の情報又は生み出された解決策を用いて自動的に決定してもよい。
【０１８１】
モビリティ最適化目的に関して、ＲＡＮ補助パラメータは、Ｅ−ＵＴＲＡＮメジャメントのための既存のタイムトゥトリガ（ＴＴＴ）と同様のタイマであるＴｓｔｅｅｒｉｎｇＷＬＡＮを有し、ＲＡＮ補助パラメータをモビリティ目的のために用いることが共通の認識である。０から７の間で調整可能であるＴｓｔｅｅｒｉｎｇＷＬＡＮの間、ＲＳＲＰ、ＲＳＲＱ、ＢＳＳ負荷、ＷＡＮメトリック及びビーコンＲＳＳＩに関する閾値に基づく基準を評価が満たす場合、ＵＥは、Ｒｅｌ−１２メカニズムにおいて必要最小限であるトラフィックステアリング機会を上位層に通知することを決定する一方で、タイマ値が、アクセスネットワークの頻繁な変更を回避することができるようにするために十分長くなければならないことに留意すべきであることが議論された。明らかに、ＴｓｔｅｅｒｉｎｇＷＬＡＮに設定すべき最も適切な閾値は、異なるデプロイメントに従って異なる。従って、実用的なデプロイメントに応じて最適化されるべきある。しかしながら、ＭＲＪＣにおける現在のユースケースは、ＷＬＡＮにおいてＵＥスループットを直ちに評価するので、閾値を決定できず、従って、この点で、閾値は、ＯＡＭによって提供される固定値と共に設定する他の選択肢を有さない。大量のＷＬＡＮＡＰが、日々展開されていることを考慮すると、問題は、ＷＬＡＮ無線状態の変化に従う最適な閾値を維持する方法である。従って、閾値を更新する自律的なメカニズム、すなわち、ＷＬＡＮを伴うＭＲＯによって問題を解決すべきである。
【０１８２】
提案１：新しいユースケースとしてＷＬＡＮを伴うモビリティロバスト性の最適化をキャプチャすることに合意すべきである。
【０１８３】
ＷＬＡＮ識別子、すなわち、ＡＰのＢＳＳＩＤ、ＥＳＳＩＤ及びＨＥＳＳＩＤに関して、いくつかの企業が、自律的な収集メカニズム、例えば、ＷＬＡＮを伴うＡＮＲにも興味を持っている。
【０１８４】
【表１】
0006527527.tif 000002
【０１８５】
表１は、ＲＡＮ補助パラメータを説明するための表である。（少なくとも初期において）パラメータを提供するＯＡＭがベースラインであるが、表１では省略していることに留意すべきである。
【０１８６】
（２．２）ＷＬＡＮを伴うモビリティロバスト性の最適化
ＵＥは、ＵＥのモビリティにより引き起こされる３ＧＰＰとＷＬＡＮとの間のピンポントラフィックステアリングが原因でＱｏＥに苦しむ可能性がある。さらに、ＵＥモビリティも、スループットの劣化につながる不正確なトラフィックステアリングを引き起こす可能性がある。現在、そのような劣化を避けるための情報がＲＡＮには存在しない。３ＧＰＰとＷＬＡＮとの間で（もしあれば）情報を交換することを調査し、ＷＬＡＮデプロイメントを考慮したモビリティロバスト性最適化メカニズムを（もしあれば）拡張することが有益である。
【０１８７】
問題１：ピンポントラフィックステアリングを回避する方法
問題２：早すぎるトラフィックステアリング及び／又は遅すぎるトラフィックステアリングを回避する方法
【０１８８】
（２．３）モビリティロバスト性のためのＲＡＮ補助パラメータ調整
２．１章で述べた通り、ＴｓｔｅｅｒｉｎｇＷＬＡＮは、モビリティロバスト性を最適化することが本質である。明らかに、オフロード効率のみを考慮した場合、ＴｓｔｅｅｒｉｎｇＷＬＡＮを最小値（０［ｓ］）に設定すべきであるが、ピンポンステアリングのようなモビリティ問題が生じる可能性がある。従って、より良いユーザ体験を提供するために、オフロード効率とピンポン回避との間のバランス値で、ＴｓｔｅｅｒｉｎｇＷＬＡＮを設定する必要があります。
【０１８９】
ＵＥモビリティのために考慮すべき別の観点が、よく知られているように無線状況の変動である。通常、無線状況評価のための閾値は、内と外の状況（ｉｎ−ａｎｄ  ｏｕｔ−ｏｆ−ｃｏｎｄｉｔｉｏｎｓ）の間のヒステリシスを有し、ＲＡＮ補助パラメータも、そのような目的のための２つの閾値を有する。例えば、ＲＳＲＰ閾値のヒステリシスを（ＴｈｒｅｓｈＳｅｒｖｉｎｇＯｆｆｌｏａｄＷＬＡＮ，ＨｉｇｈＰ−ＴｈｒｅｓｈＳｅｒｖｉｎｇＯｆｆｌｏａｄＷＬＡＮ，ＬｏｗＰ）［ｄＢ］として表示される。言うまでもなく、無線状況関連ＲＡＮ補助パラメータと共に設定されたヒステリシスは、ＵＥモビリティと併せてネットワークパフォーマンスに影響を与える。
【０１９０】
提案２：提案１が受け入れ可能である場合、ＷＬＡＮを伴うＭＲＯが、ＴｓｔｅｅｒｉｎｇＷＬＡＮの最適化及び／又はＲＳＲＰ、ＲＳＲＱ及びビーコンＲＳＳＩに関する閾値のヒステリシスを考慮することに合意すべきである。
【０１９１】
（２．４）ＷＬＡＮを伴うＭＲＯのための可能な情報
Ｅ−ＵＴＲＡＮのための既存のＭＲＯは、早すぎるＨＯ（Ｔｏｏ  Ｅａｒｌｙ  ＨＯ）、遅すぎるＨＯ（Ｔｏｏ  Ｌａｔｅ  ＨＯ）及び間違ったセルへのＨＯ（ＨＯ  ｔｏ  Ｗｒｏｎｇ  Ｃｅｌｌ）を検出するために用いることができるＲＬＦインディケーション（ＲＬＦ  ＩＮＤＩＣＡＴＩＯＮ）及びハンドオーバレポート（ＨＡＮＤＯＶＥＲ  ＲＥＰＯＲＴ）を有する。ＷＬＡＮを伴うＭＲＯを考慮して、既存のＭＲＯと異なる点は、ＲＬＦと関係がなく、すなわち、ＲＬＦは、ＷＬＡＮから／へのトラフィックステアリング失敗したかどうかに基づかない。
【０１９２】
しかしながら、Ｅ−ＵＴＲＡＮからＷＬＡＮへの早すぎるステアリング及びＷＬＡＮからＥ−ＵＴＲＡＮへの遅すぎるステアリングは、同様の理由、すなわち、ＵＥが充分なスループットを無線アクセスネットワーク（Ｅ−ＵＴＲＡＮ又はＷＬＡＮ）によりもはや提供されないけれども、ＵＥがトラフィックステアリングを決定できない場合、ＵＥのＱｏＥに重大な影響を与える可能性がある。従って、そのような誤ったトラフィックステアリングを避けるための解決策を検討すべきである。トラフィックステアリング後のＷＬＡＮにおけるＵＥスループットをモニタするための可能な解決策として考慮するべきである。
【０１９３】
提案３：トラフィックステアリング前／後に、スループット劣化を検出する方法を検討すべきである。
【０１９４】
検討すべき他の点は、ピンポン回避である。例えば、ＷＬＡＮへのトラフィックステアリングのためのＲＡＮ補助パラメータ及びＷＬＡＮからのトラフィックステアリングのためのＲＡＮ補助パラメータが充分に調整されていない、すなわち、誤ったヒステリシスが設定されている場合、ＵＥは、Ｅ−ＵＴＲＡＮへのトラフィックステアリングの後に、直ちにＷＬＡＮへトラフィックを戻すことを決定してもよい。トラフィックステアリングはＨＯよりも遅延が大きいので、Ｅ−ＵＴＲＡＮとＷＬＡＮとの間のそのようなピンポンステアリングは、Ｅ−ＵＴＲＡＮセル間のピンポンよりも、ユーザ体験においてより劣化するという結果になる可能性がある。従って、ピンポンステアリングを検出する方法を検討すべきである。
【０１９５】
提案４：Ｅ−ＵＴＲＡＮとＷＬＡＮとの間のピンポンステアリングを検出する方法を検討すべきである。
【０１９６】
（３）結論
この付記では、ＲＡＮ補助パラメータを最適化するためにＷＬＡＮを伴うＭＲＯの必要性を説明した。
【０１９７】
なお、米国仮出願第６２／０５６０６１号（２０１４年９月２６日出願）の全内容が、参照により、本願明細書に組み込まれている。
【図１】
0006527527.tif 000003
【図２】
0006527527.tif 000004
【図３】
0006527527.tif 000005
【図４】
0006527527.tif 000006
【図５】
0006527527.tif 000007
【図６】
0006527527.tif 000008
【図７】
0006527527.tif 000009
【図８】
0006527527.tif 000010
【図９】
0006527527.tif 000011
【図１０】
0006527527.tif 000012